(57)【要約】【課題】装着後、タブレット端末を容易に施錠し、鍵で解錠しないと取り外しできない構造のタブレット端末の支持装置を提供する。【解決手段】支持装置１は、支柱２、保持手段３、連結手段４を具備する。保持手段３は、ベースプレート５、これにタブレット端末Ｔを保持、拘束するロック機構６を備える。ロック機構６は、ロック板７、これに固着されるハウジング８、その内側の錠９、ラッチ１０、ラッチ受け部材１１を具備する。ロック板７が上位の解放位置にある時、タブレット端末Ｔをベースプレート５に装着し、ロック板７を拘束位置へ押し下げる。この間、ラッチ１０がラッチ受け部材１１に係合し、タブレット端末Ｔがベースプレート５上に錠止される。鍵１２を挿入してロック板７を解放位置へ引き上げ、タブレット端末Ｔを取り外す。【選択図】図５
2019101877.tif 000002
【特許請求の範囲】
【請求項１】
固定可能な支柱と、タブレット端末を背部から保持する保持手段と、前記支柱と前記保持手段とを連結する連結手段とを具備し、
前記連結手段は、少なくとも前記保持手段の背面に沿って延びる水平軸に関して、保持手段を所定範囲で回転・固定自在に連結し、
前記保持手段は、タブレット端末の背部に沿うベースプレートと、タブレット端末を保持した状態でこれを前記ベースプレートに離脱不能に拘束するロック機構とを備え、
前記ロック機構は、タブレット端末を前記ベースプレート上に拘束する下方の拘束位置とこれを解放する上方の解放位置との間を上下に移動自在に前記ベースプレートの背部上方に設けられたロック板と、当該ロック板の背部に固着され上部に鍵挿入用の開口を有するハウジングと、鍵孔を前記ハウジングの開口に向けて当該ハウジング内に固着された錠と、前記ハウジング内にロック位置と非ロック位置との間を回動自在に設けられロック位置に付勢されたラッチと、前記ロック板が拘束位置にあって前記ラッチがロック位置にあるとき当該ラッチが係合するように前記ベースプレートの背部に固着されたラッチ受け部材とを具備し、
前記ロック板は、拘束位置において前記ベースプレート上のタブレット端末の上辺と前縁に沿うように上縁から前記ベースプレートの上辺を超えて前方へ曲折して延出する上部保持片と、上縁から後方へ曲折して延出する操作片とを具備し、
前記錠は鍵孔から下方に向けて挿入される鍵の押し下げ操作により解錠され駆動片を下方へ進出させるように設けられ、
前記錠の駆動片は、下方へ進出した時に前記ラッチを非ロック位置へ回動させることにより前記ロック板の解放位置への引き上げを許容するように設けられ、
前記ラッチは、前記ロック板が拘束位置へ押し下げられる過程で前記ラッチ受け部材上を摺動しながら非ロック位置側へ回動し前記ロック板が拘束位置に到ると自動的に当該ラッチ受け部材に係合するように設けられることを特徴とするタブレット端末の支持装置。
【請求項２】
前記ベースプレートは、前記タブレット端末の左右両辺に当接する一対の当接片と、前記タブレット端末の下辺を乗せ受けると共に前縁に沿う下部保持片とを具備することを特徴とする請求項１に記載のタブレット端末の支持装置。
【請求項３】
前記操作片は、前記ロック板の上縁の左右両側部に一対設けられ、前記上部保持片は、前記ロック板の上縁の前記一対の操作片の間に設けられ、
前記錠は、前記鍵孔が前記ロック板の一対の操作片の間に位置するように、前記ロック板の上部中央に位置して前記ハウジング内に固着され、
それによって、前記ロック板の一対の操作片に二指を掛け他の一指で前記鍵を下方へ押し込みながら前記ロック板を解放位置へ引き上げ可能に構成されることを特徴とする請求項１に記載のタブレット端末の支持装置。
【発明の詳細な説明】
【技術分野】
【０００１】
本発明は、タブレット端末を他の機器等に支持するための装置に関する。
【背景技術】
【０００２】
従来、タブレット端末等の機器を他の機器等に支持するための携帯端末機器用スタンドとして、例えば特許文献１に記載されたものが知られている。このスタンドは、固定可能な支柱と、タブレット端末を背部から保持する保持手段と、支柱と保持手段とを連結する連結手段とにより構成される。連結手段は、保持手段の背面に沿って延びる水平軸と、この水平軸に直交し、タブレット端末の中央を貫通する垂直軸に関して、保持手段をそれぞれ所定範囲で回転自在に連結する。保持手段は、タブレット端末の背部を保持した状態で、これを分離不能に固着するロック装置を備えている。ロック装置は、保持手段の背部に固着されたハウジングと、タブレット端末を分離不能に拘束するロック手段を備える。ロック手段は、ハウジングに挿脱自在の挿入部と、これをハウジングに挿入したときタブレット端末を分離不能に拘束するロック部を備える。ハウジングの内部には、専用の解錠装置により外部から解錠可能な施錠手段が設けられ、挿入部をハウジングに挿入したとき施錠手段により挿入部がハウジングから抜き出し不能に施錠される。
【先行技術文献】
【特許文献】
【０００３】
【特許文献１】特開２０１３−４２２５４号公報
【発明の概要】
【発明が解決しようとする課題】
【０００４】
本発明は、タブレット端末を装着した時に容易に施錠され、専用の鍵により解錠しないとタブレット端末を取り外しできない構造のタブレット端末の支持装置を提供することを課題としている。
【課題を解決するための手段】
【０００５】
以下、添付図面の符号を参照して説明するが、本発明はこれに限定されるものではない。
上記課題を解決するための、本発明のタブレット端末Ｔの支持装置１は、他の所望の支持部材に固定可能な支柱２と、タブレット端末Ｔを背部から保持する保持手段３と、支柱２と保持手段３とを連結する連結手段４とを具備する。連結手段４は、少なくとも保持手段３の背面に沿って延びる水平軸Ａに関して、保持手段３を所定範囲で回転・固定自在に連結する。保持手段３は、タブレット端末Ｔの背部に沿うベースプレート５と、タブレット端末Ｔを保持した状態でこれをベースプレート５に離脱不能に拘束するロック機構６とを備える。ロック機構６は、タブレット端末Ｔをベースプレート５上に拘束・解放するロック板７と、ロック板７の背部に固着されるハウジング８と、ハウジング８内に固着される錠９と、ハウジング８内に設けられるラッチ１０と、ベースプレート５の背部に固着されるラッチ受け部材１１とを具備する。ロック板７は、タブレット端末Ｔをベースプレート５上に拘束する下方の拘束位置とこれを解放する上方の解放位置との間を上下に移動自在に、ベースプレート５の背部上方に設けられる。ハウジング８は、ロック板７の背部に固着され、上部に鍵挿入用の開口８ａを有する。錠９は、鍵孔９ａをハウジングの開口８ａに向けてハウジング８内に固着される。ラッチ１０は、ハウジング８内にロック位置と非ロック位置との間を回動自在に設けられ、ロック位置に付勢される。ラッチ受け部材１１は、ベースプレート５の背部に固着され、ロック板７が拘束位置にあるときラッチ１０に係合するように設けられる。ロック板７は、上縁部に上部保持片７ｂと、操作片７ｃとを具備する。上部保持片７ｂは、ロック板７の上縁からベースプレート５の上辺を超えて前方へ曲折して延出し、ロック板７が拘束位置にあるときベースプレート５上のタブレット端末Ｔの上辺と前縁に沿うように設けられる。操作片７ｃは、指を掛けてロック板７を引き上げられるように、ロック板７の上縁から後方へ曲折して延出する。錠９は、鍵孔９ａから下方に向けて挿入される鍵１２の押し下げ操作により解錠され駆動片９ｂを下方へ進出させるように設けられる。駆動片９ｂは、下方へ進出した時、ラッチ１０を非ロック位置へ回動させることによりロック板７の解放位置への引き上げを許容する。ラッチ１０は、ロック板７が拘束位置へ押し下げられる過程でラッチ受け部材１１上を摺動しながら非ロック位置側へ回動し、ロック板７が拘束位置に到ると自動的にラッチ受け部材１１に係合する。
【発明の効果】
【０００６】
本発明のタブレット端末の支持装置は、タブレット端末の着脱が容易で、装着した時に容易に施錠され、専用の鍵により解錠しないとタブレット端末を取り外しできないので、タブレット端末を無権限者に持ち去られるおそれがない。鍵の挿抜操作とロック板を解放位置へ移動させる操作が共に上下方向であるため、操作が片手で容易に行える。
【図面の簡単な説明】
【０００７】
【図１】本発明に係るタブレット端末の支持装置の正面図である。
【図２】図１のタブレット端末の支持装置の背面図である。
【図３】図１のタブレット端末の支持装置の側面図である。
【図４】図１のタブレット端末の支持装置の平面図である。
【図５】図１のタブレット端末の支持装置の斜視図である。
【図６】図１のタブレット端末の支持装置におけるロック機構の正面図である。
【図７】図１のタブレット端末の支持装置におけるロック機構の分解斜視図である。
【図８】図１のタブレット端末の支持装置におけるロック機構部の動作を示す断面図である。
【発明を実施するための形態】
【０００８】
図面を参照して本発明の実施の形態を説明する。
図１ないし図５に示すように、タブレット端末Ｔの支持装置１は、例えば搬送台車のパイプハンドルＨのような所望の支持部材に固定可能な支柱２と、タブレット端末Ｔを背部から保持する保持手段３と、支柱２と保持手段３とを連結する連結手段４とを具備する。
【０００９】
連結手段４は、少なくとも保持手段３の背面に沿って延びる水平軸Ａに関して、保持手段３を所定範囲で回転・固定自在に連結する。図示の実施例において連結手段４は、保持手段３の背面に対向してこれを支持する矩形板状の支持板部４ａと、それの背面側に固着されたヒンジ部４ｂとを具備する。保持手段３は、ヒンジ部４ｂにおいて、水平軸Ａに対して板ばねを介して所定の回転抵抗を持つように枢支される。
【００１０】
保持手段３は、タブレット端末Ｔの背部に沿うベースプレート５と、タブレット端末Ｔを保持した状態でこれをベースプレート５に離脱不能に拘束するロック機構６とを備える。ベースプレート５の背面に連結手段４の支持板部４ａが間隔を置いて平行にねじ止めされる。
【００１１】
ベースプレート５は、概略矩形板状の本体５ａと、タブレット端末Ｔの左右両辺に当接する一対の側部当接片５ｂと、タブレット端末Ｔの下辺を乗せ受けると共にそれの前縁に沿うように曲折した下部保持片５ｃとを具備する。
【００１２】
図６ないし図８に示すように、ロック機構６は、タブレット端末Ｔをベースプレート５上に拘束・解放するロック板７と、ロック板７の背部に固着されるハウジング８と、ハウジング８内に固着される錠９と、ハウジング８内に枢支されるラッチ１０と、ハウジング８内においてベースプレート５の背部に固着されるラッチ受け部材１１（図８）とを具備する。
【００１３】
ロック板７は、概略矩形板状の本体７ａと、それの上縁部に屈折して形成された上部保持片７ｂと、操作片７ｃと、５つの上下方向の長孔７ｄ、７ｅを具備し、ベースプレート５の背部上方に支持される。ロック板７は、４つの長孔７ｄに、ベースプレート５の背面側に突設された係合突起５ｄを係合させてベースプレート５に支持され、長孔７ｄの範囲で拘束位置（図８Ｂ）と解放位置（図８Ａ）の間を上下に移動自在であり、下方の拘束位置においてタブレット端末Ｔをベースプレート５上に拘束し、上方の解放位置においてこれを解放する。
【００１４】
ハウジング８は、前方に開放し前後に偏平な矩形箱状で、ロック板７の背部に固着される。ハウジング８は、上部に鍵挿入用の開口８ａを有する。
【００１５】
錠９は、鍵孔９ａをハウジングの開口８ａに向けてハウジング８内に固着される。鍵孔９ａから鍵１２を挿入し、付勢力に抗して鍵１２押し下げる解錠操作により、駆動片９ｂを下方へ進出させる。
【００１６】
ラッチ１０は、錠９の下方に位置してハウジング８内に水平軸１０ａで枢支され、ロック位置（図８Ｂ）と非ロック位置（図８Ｃ，Ｄ）との間を回動自在であり、ばね１０ｂによりロック位置に回転付勢される。
【００１７】
図８に示すように、ラッチ受け部材１１は、ベースプレート５の背部に固着され、ロック板７の長孔７ｅを上下方向に相対移動自在に貫通し、ハウジング８内に突出するように設けられる。ラッチ受け部材１１は、ロック板７が拘束位置（図８Ｂ）にあるとき、ラッチ１０に係合し、ロック板７の引き上げを阻止する。ロック板７が拘束位置へ押し下げられる過程で、ラッチ１０がラッチ受け部材１１上を摺動しながら非ロック位置側へ回動し、ロック板７が拘束位置に到るとラッチ１０が自動的にラッチ受け部材１１に係合する。
【００１８】
ロック板７の上部保持片７ｂは、ロック板本体７ａの上縁の中央部からベースプレート５の上辺を超えて前方へ直角に曲折し、さらにその先端から下方へ曲折して延出している。上部保持片７ｂは、ロック板７が拘束位置（図８Ｂ）にあるとき、ベースプレート５上のタブレット端末Ｔの上辺と前縁に沿い、タブレット端末Ｔの上縁部を拘束する。
【００１９】
操作片７ｃは、指を掛けてロック板７を引き上げられるように、ロック板本体７ａの上縁から後方へ直角に曲折して延出する。操作片７ｃは、ロック板７の上縁の左右両側部に一対設けられ、上部保持片７ｂは、一対の操作片７ｃの間に設けられる。
【００２０】
錠９の駆動片９ｂは、常時は引き込み位置にあるが、図８Ｃに示すように、鍵１２の押し込み操作で下方へ進出した時、ラッチ１０を非ロック位置へ回動させ、ラッチ受け部材１１との係合を解いて、ロック板７を解放位置への引き上げる操作を許容する。錠９は、鍵孔９ａがロック板７の一対の操作片７ｃの間に位置するように、ロック板７の上部中央に位置してハウジング８内に固着される。
【００２１】
したがって、ロック板７の一対の操作片７ｃに人差し指と中指の二指を掛け、親指で鍵１２を下方へ押し込みながら、ロック板７を解放位置へ引き上げることができる。
【００２２】
タブレット端末Ｔを保持手段３に装着する場合には、図８Ａに示すように、ロック板７が上位の解放位置にある状態で、タブレット端末Ｔの左右両側辺をベースプレート５の側部当接片５ｂに沿わせつつ、下縁部を下部保持片５ｃに落とし込んだ後、図８Ｂに示すように、ロック板７を押し下げて、上部保持片７ｂをタブレット端末Ｔの上縁部に嵌合させる。ロック板７の押し下げ過程で、ラッチ１０がラッチ受け部材１１に押されて回転し、拘束位置においてラッチ１０がばね力で自動的にロック位置に復帰してラッチ受け部材１１に係合するする。これにより、タブレット端末Ｔがベースプレート５上に錠止される。
【００２３】
タブレット端末Ｔをベースプレート５から取り外す場合には、図８Ｃに示すように、鍵１２を開口８ａを介して鍵孔９ａへ差し込んで、下方へ押し込み、駆動片９ｂを下方へ突出させることにより、ラッチ１０を非ロック位置へ回転させた状態で、図８Ｄに示すように 、ロック板７を解放位置へ引き上げる。これで、ベースプレート５に対して、タブレット端末Ｔの上縁部の拘束が解かれるので、ベースプレート５からタブレット端末Ｔを取り外すことができる。したがって、鍵１２を保有した、権限を持つ者以外、タブレット端末Ｔを支持装置１から取り外すことができない。
【符号の説明】
【００２４】
１      タブレット端末の支持装置
２      支柱
３      保持手段
４      連結手段
５      ベースプレート
５ａ    本体
５ｂ    側部当接片
５ｃ    下部保持片
５ｄ    係合突起
６      ロック機構
７      ロック板
７ａ    ロック板の本体
７ｂ    上部保持片
７ｃ    操作片
７ｄ    長孔
７ｅ    長孔
８      ハウジング
９      錠
９ａ    鍵孔
９ｂ    駆動片
１０    ラッチ
１０ａ  水平軸
１０ｂ  ばね
１１    ラッチ受け部材
１２    鍵
Ｈ      ハンドル（支持部材）
【図１】
2019101877.tif 000003
【図２】
2019101877.tif 000004
【図３】
2019101877.tif 000005
【図４】
2019101877.tif 000006
【図５】
2019101877.tif 000007
【図６】
2019101877.tif 000008
【図７】
2019101877.tif 000009
【図８】
2019101877.tif 000010